(57)【要約】【課題】２つの表示装置を備えた車載表示システムにおいて、ユーザ利便性の高い情報を表示する技術を提供する。【解決手段】第１表示装置２０は情報画像を表示し、第２表示装置２３は、ユーザが操作するための操作画像を表示する。表示制御装置１０は、ユーザによる操作を必要とするイベントが発生すると、第２表示装置２３に、当該イベントに対応する操作画像を表示させるとともに、第１表示装置２０の第１表示領域に情報画像を表示させつつ、第１表示装置２０の第２表示領域に、当該イベントに関する情報と、ユーザの操作に関する情報とを表示させる。【選択図】図１
2019172216.tif 000002
【特許請求の範囲】
【請求項１】
車載表示システムであって、
情報画像を表示する第１表示装置と、
ユーザが操作するための操作画像を表示する第２表示装置と、
前記第１表示装置と前記第２表示装置の画像表示を制御する表示制御装置と、を備え、
前記表示制御装置は、
ユーザによる操作を必要とするイベントが発生すると、前記第２表示装置に、当該イベントに対応する操作画像を表示させるとともに、前記第１表示装置の第１表示領域に情報画像を表示させつつ、前記第１表示装置の第２表示領域に、当該イベントに関する情報と、ユーザの操作に関する情報とを表示させる、
ことを特徴とする車載表示システム。
【発明の詳細な説明】
【技術分野】
【０００１】
本発明は、車両に搭載される表示装置の表示を制御する技術に関する。
【背景技術】
【０００２】
特許文献１は、情報画面を表示する情報表示用ディスプレイと、操作画面を表示する操作用ディスプレイと、操作用ディスプレイの操作画面を撮影して撮影像を出力する撮影手段とを備えた車載情報機器を開示する。この車載情報機器は、情報表示用ディスプレイに、操作画面と同じ視認用操作画面を表示しつつ、撮影像から操作画面を操作する手を抽出した映像を、視認用操作画面に重ねて表示する。
【先行技術文献】
【特許文献】
【０００３】
【特許文献１】特開２０１２−１２６２４９号公報
【発明の概要】
【発明が解決しようとする課題】
【０００４】
特許文献１に開示された車載情報機器では、運転者が操作用ディスプレイに表示されている操作画面を操作する際、情報表示用ディスプレイに、当該操作画面と同じ視認用操作画面を表示するため、ユーザは、情報画面を見ることができない。
【０００５】
本発明はこうした状況に鑑みてなされたものであり、その目的は、２つの表示装置を備えた車載表示システムにおいて、ユーザ利便性の高い情報を表示する技術を提供することにある。
【課題を解決するための手段】
【０００６】
上記課題を解決するために、本発明のある態様の車載表示システムは、情報画像を表示する第１表示装置と、ユーザが操作するための操作画像を表示する第２表示装置と、第１表示装置と第２表示装置の画像表示を制御する表示制御装置とを備える。表示制御装置は、ユーザによる操作を必要とするイベントが発生すると、第２表示装置に、当該イベントに対応する操作画像を表示させるとともに、第１表示装置の第１表示領域に情報画像を表示させつつ、第１表示装置の第２表示領域に、当該イベントに関する情報と、ユーザの操作に関する情報とを表示させる。
【０００７】
この態様によると、イベントの発生時、第１表示装置が情報画像の表示を維持しつつ、イベントに関する情報と、ユーザの操作に関する情報とを表示する。これによりユーザは、情報画像を見ながら、イベントが発生したことと、当該イベントに対する操作内容とを知ることができる。
【発明の効果】
【０００８】
本発明によれば、２つの表示装置を備えた車載表示システムにおいて、ユーザ利便性の高い情報を表示する技術を提供できる。
【図面の簡単な説明】
【０００９】
【図１】実施形態の車載表示システムの構成を示す図である。
【図２】第１表示装置およびタッチパネルの配置を示す図である。
【図３】第２表示装置の操作画面例を示す図である。
【図４】第１表示装置および第２表示装置の画面例を示す図である。
【図５】第１表示装置および第２表示装置の画面例を示す図である。
【発明を実施するための形態】
【００１０】
図１は、実施形態の車載表示システム１の構成を示す。車載表示システム１は、表示制御装置１０、第１表示装置２０、第２表示装置２３およびタッチパッド２４を備える。第１表示装置２０および第２表示装置２３は、液晶パネルや有機ＥＬパネルで構成されてよい。
【００１１】
タッチパッド２４は、運転者などの乗員であるユーザによりタッチされた座標値を検出する機能をもつ。タッチパッド２４は透明材料により形成されて、第２表示装置２３の表面に重ねて配置され、第２表示装置２３およびタッチパッド２４は一体となってタッチパネル２２を構成する。なお第１表示装置２０はタッチパッドを有さず、ユーザによる入力を検出する機能をもたない。
【００１２】
表示制御装置１０は、車両に搭載された機器やアプリケーションなどにより実現される車載機能に関する画像を、第１表示装置２０および第２表示装置２３に表示させる。車載機能は、たとえば空調装置による空調機能、カーナビゲーションシステムによるナビゲーション機能、音楽再生アプリによる音楽再生機能、電話機能などを含む。それ以外に、ラジオ放送受信機能や、テレビ放送受信機能などを含んでもよい。
【００１３】
表示制御装置１０は、情報画像生成部１２、操作画像生成部１４、操作受付部１６およびイベント取得部１８を備える。情報画像生成部１２は、第１表示装置２０に表示させる情報画像を生成し、操作画像生成部１４は、第２表示装置２３に表示させる操作画像を生成する。ユーザが第２表示装置２３に表示される操作画像を手指によって操作すると、操作受付部１６は、タッチパッド２４が検出したポイントの座標値を、ユーザ操作として受け付ける。
【００１４】
実施形態のイベント取得部１８は、外部からイベントを取得する。このイベントは、ユーザによる操作を必要とする処理要求を構成し、イベント取得部１８がイベントを取得すると、操作画像生成部１４は、そのイベントに対応する操作画像を生成して、第２表示装置２３に表示させる。イベントは、たとえば電話着信やメール着信などの外部からのアクションが該当する。
【００１５】
図２は、第１表示装置２０およびタッチパネル２２の配置を示す。第１表示装置２０は、情報画像生成部１２により生成された情報画像を表示し、第２表示装置２３は、操作画像生成部１４により生成された操作画像を表示する。操作画像は、ユーザが操作するための画像であり、ユーザは、手指を用いて操作画像を操作する。図２に示す例で第１表示装置２０は、ナビゲーション機能による情報画像を表示し、第２表示装置２３は、ユーザが空調機能のパラメータを設定または選択するための操作画像を表示する。
【００１６】
第１表示装置２０およびタッチパネル２２は、前席正面部の中央に設けられる。第１表示装置２０は、運転者が運転中に前方に視線を向けた状態で、第１表示装置２０の表示画面の変化に気付ける高さに設けられるのが好ましい。図２に示す例で第１表示装置２０は、ユーザが視線を動かさなくても視界の端に含まれるように、運転者の視線とほぼ同じ高さに配置される。このように第１表示装置２０を設置することで、運転者は運転中に視線を僅かに横に向けるだけで、第１表示装置２０の表示画面を確認できる。
【００１７】
タッチパネル２２は、運転者が運転中に手の届く位置に設けられる。タッチパネル２２は、第１表示装置２０の下方に配置されて、運転者は、運転中に視線を斜め下に向けることで、第２表示装置２３の表示画面を確認する。
【００１８】
図３は、第２表示装置２３の操作画面例を示す。第２表示装置２３の表示エリアは、複数の機能ボタンの表示画像を表示するボタン画像表示領域３０と、ボタン画像表示領域３０においてユーザ操作により選択された機能ボタンに対応する操作画像を表示する操作画像表示領域４０とに分割される。ボタン画像表示領域３０と操作画像表示領域４０は、固定された領域であってよいが、サイズを可変とする領域であってもよい。
【００１９】
図３に示す操作画面では、ボタン画像表示領域３０に、空調設定ボタン３２ａ、ナビ設定ボタン３２ｂ、音楽再生ボタン３２ｃ、電話機能ボタン３２ｄ、その他ボタン３２ｅが表示されている。以下、空調設定ボタン３２ａ、ナビ設定ボタン３２ｂ、音楽再生ボタン３２ｃ、電話機能ボタン３２ｄ、その他ボタン３２ｅを特に区別しない場合、まとめて「機能ボタン３２」と呼ぶ。
【００２０】
ユーザにより機能ボタン３２のいずれかが選択操作されると、操作画像生成部１４は、選択操作された機能ボタン３２に対応する操作画像であって、ユーザ操作を受け付け可能な操作画像を生成し、操作画像表示領域４０に表示させる。図３に示す操作画面では、空調設定ボタン３２ａが選択されており、操作画像表示領域４０には、空調機能のパラメータを設定または選択するための空調パラメータ操作画像４１が表示されている。
【００２１】
車両走行中にイベントが発生すると、イベント取得部１８は、発生したイベントを取得する。イベントは、ユーザによる操作を必要とする処理要求を構成し、以下にイベントが電話着信であるケースを示す。イベント取得部１８は、電話着信のイベントを取得すると、情報画像生成部１２および操作画像生成部１４に、その旨を通知する。
【００２２】
操作画像生成部１４は、電話着信の通知を受けると、電話着信に対応する操作画像を生成して、第２表示装置２３に表示させる。また情報画像生成部１２は、電話着信の通知を受けると、第１表示装置２０の表示画面を分割し、第１表示領域にナビゲーション機能による情報画像を表示させつつ、第２表示領域に、電話着信イベントに関する情報と、ユーザの操作に関する情報とを表示させる。
【００２３】
図４は、第１表示装置２０および第２表示装置２３の画面例を示す。第２表示装置２３は、操作画像表示領域４０に、電話着信イベントに対応する電話操作画像４２を表示する。電話操作画像４２には、着信に応答するための応答ボタン４３と、着信を拒否するための拒否ボタン４４とが含まれる。ユーザは、電話着信があると、応答ボタン４３または拒否ボタン４４のいずれかを操作する必要があるが、第２表示装置２３は、運転中のユーザの視線の下方にあるため、ユーザは、第２表示装置２３における操作画面の変化に気付かないことがある。
【００２４】
そこで情報画像生成部１２は、第１表示装置２０の一部の領域に、電話着信イベントに関する情報と、ユーザの操作に関する情報とを表示させる。図４に示すように、情報画像生成部１２は、第１表示装置２０の表示領域を、第１表示領域５０と第２表示領域５２に分割し、第１表示領域５０に、ナビゲーション機能による情報画像を引き続き表示させる。また情報画像生成部１２は、第２表示領域５２に、電話着信に関する情報を含むイベント情報画像５４と、ユーザの操作内容を示す操作情報画像５６を表示させる。
【００２５】
イベント情報画像５４は、電話が着信中であることを通知する情報と、電話を発信した相手の情報を含んでよい。これによりユーザは、誰が電話を発信しているかを確認できる。操作情報画像５６は、操作内容を示す情報を含み、具体的には操作画面の操作画像表示領域４０に表示されたボタン配置を表現してよい。操作情報画像５６が実際の操作インタフェースを表現することで、ユーザは、操作情報画像５６を見ることにより、第２表示装置２３のボタン配置を知ることができる。これによりユーザは、第２表示装置２３の操作画面を注視しなくても、操作画像表示領域４０に対して所望の操作を行うことができる。
【００２６】
図５は、第１表示装置２０および第２表示装置２３の画面例を示す。図４に示す操作画面において、ユーザが応答ボタン４３を操作すると、情報画像生成部１２は、表示領域の分割を中止して、ナビゲーション機能による情報画像を第１表示装置２０に表示させる。なお情報画像生成部１２は、電話の状況を示す状況画像５８を、情報画像の一部の領域に表示させてよい。操作画像生成部１４は、拒否ボタン４４を含む電話操作画像４２を第２表示装置２３に表示させ、ユーザが拒否ボタン４４を操作すると、電話が終了する。
【００２７】
以上、本発明を実施形態をもとに説明した。本発明は、上述の実施形態に限定されるものではなく、当業者の知識に基づいて各種の設計変更等の変形を加えることも可能である。
【００２８】
実施形態では、イベントが電話着信であるケースを説明したが、イベントは、メール着信や、外部サーバからの情報のプッシュ通知などであってもよい。
【符号の説明】
【００２９】
１・・・車載表示システム、１０・・・表示制御装置、１２・・・情報画像生成部、１４・・・操作画像生成部、１８・・・イベント取得部、２０・・・第１表示装置、２２・・・タッチパネル、２３・・・第２表示装置、２４・・・タッチパッド。
【図１】
2019172216.tif 000003
【図２】
2019172216.tif 000004
【図３】
2019172216.tif 000005
【図４】
2019172216.tif 000006
【図５】
2019172216.tif 000007